(57)【要約】【課題】高画角化および広角端の大口径比かつレンズ径全体の小型化を達成し、広角端から望遠端までの色収差や像面湾曲などを全ズーム域で良好に補正することが出来るズームレンズ及びそれを有する撮像装置を提供する。【解決手段】物体側より順に、負の屈折力の第１レンズ群、正の屈折力の第２レンズ群、像側から順に合焦機能を有する負の屈折力のレンズ群、正もしくは負の屈折力の第３レンズ群、最像側の負の屈折力のレンズ群の物体側に隣接して配置された正の屈折力のレンズ群を有し、望遠端へのズーミングに際し、所定間隔が狭まり、物体側に移動する最像側の負の屈折力のレンズ群の最像側の曲率半径をｒｂ、最像側の負の屈折力のレンズ群の焦点距離をｆｎｒ 、 広角端のレンズ全系の焦点距離をｆｗとするとき、−１２．０＜ｒｂ/ｆｎｒ＜−０．０１ −６．５０＜ｆｎｒ/ｆｗ＜−２．００ なる条件式を満足する。【選択図】図１
2019095625.tif 000002
【特許請求の範囲】
【請求項１】
物体側より像側へ順に、負の屈折力の第１レンズ群、正の屈折力の第２レンズ群を有し、像側から物体側へ順に合焦機能を有する負の屈折力のレンズ群、正もしくは負の屈折力の第３レンズ群を有し、最像側の前記負の屈折力のレンズ群の物体側に隣接して配置された正の屈折力のレンズ群を有し、
広角端から望遠端へのズーミングに際して、前記第１レンズ群と第２レンズ群の間隔が狭まり、最像側に配置された前記負の屈折力のレンズ群と前記正の屈折力のレンズ群の間隔が狭まり、最像側に配置された前記負の屈折力のレンズ群が物体側に移動し、
最像側の前記負の屈折力のレンズ群の最像側の曲率半径をｒｂ、
最像側の前記負の屈折力のレンズ群の焦点距離をｆｎｒ 、              
広角端のレンズ全系の焦点距離をｆｗとするとき、
−１２．０＜ｒｂ/ｆｎｒ＜−０．０１ 
−６．５０＜ｆｎｒ/ｆｗ＜−２．００
なる条件式を満足することを特徴とするズ−ムレンズ。
【請求項２】
望遠端のレンズ全系の焦点距離をｆｔ、前記第１レンズ群の焦点距離をｆ１とするとき、
−４．００＜ｆ１/ｆｔ＜−０．２０                 
なる条件式を満足することを特徴とする請求項１に記載のズ−ムレンズ。
【請求項３】
前記第２レンズ群の焦点距離をｆ２とするとき、
−３．００＜ｆ１/ｆ２＜−０．２０                   
なる条件式を満足することを特徴とする請求項２に記載のズ−ムレンズ。
【請求項４】
広角端及び望遠端における前記第２レンズ群の像面に対する相対的移動量をＭ２、
広角端及び望遠端における前記第３レンズ群の像面に対する相対的移動量をＭ３とするとき、
０．２０＜Ｍ３／Ｍ２＜５．００
なる条件式を満足することを特徴とする請求項１乃至３のいずれか１項に記載のズ−ムレンズ。
【請求項５】
最像側の前記負の屈折力のレンズ群の最も物体側の曲率半径をｒａとするとき、
−１０．００＜（ｒａ＋ｒｂ）／（ｒａ−ｒｂ）＜６．００
なる条件式を満足することを特徴とする請求項１乃至４のいずれか１項に記載のズ−ムレンズ。
【請求項６】
最像側の前記負の屈折力のレンズ群に配置された最像側の負レンズの屈折率をＮｒとするとき、
１．７０＜Ｎｒ
なる条件式を満足することを特徴とする請求項１乃至５のいずれか１項に記載のズ−ムレンズ。
【請求項７】
広角端及び望遠端における最像側の前記負の屈折力のレンズ群の像面に対する相対的移動量をＭｒとするとき、
０．０２＜Ｍｒ／ｆｗ  ＜５．００
なる条件式を満足することを特徴とする請求項１乃至６のいずれか１項に記載のズ−ムレンズ。
【請求項８】
前記第１レンズ群の最像側の正レンズの物体側の曲率半径をｒ１２ａ、
前記第１レンズ群の最も物体側の負レンズの像側の曲率半径をｒ１１ｂとするとき、
―２００．００＜（ｒ１１ｂ＋ｒ１２ａ）／（ｒ１１ｂ−ｒ１２ａ）＜−１．００
なる条件式を満足することを特徴とする請求項１乃至７のいずれか１項に記載のズ−ムレンズ。
【請求項９】
物体側より像側へ順に負の屈折力の前記第１レンズ群、正の屈折力の前記第２レンズ群、正の屈折力の前記第３レンズ群、正の屈折力の第４レンズ群、負の屈折力の第５レンズ群からなることを特徴とする請求項１乃至８のいずれか１項に記載のズ−ムレンズ。
【請求項１０】
物体側より像側へ順に負の屈折力の前記第１レンズ群、正の屈折力の前記第２レンズ群、正の屈折力の前記第３レンズ群、負の屈折力の第４レンズ群からなることを特徴とする請求項１乃至８のいずれか１項に記載のズ−ムレンズ。
【請求項１１】
物体側より像側へ順に負の屈折力の前記第１レンズ群、正の屈折力の前記第２レンズ群、負の屈折力の前記第３レンズ群、正の屈折力の第４レンズ群、負の屈折力の第５レンズ群からなることを特徴とする請求項１乃至８のいずれか１項に記載のズ−ムレンズ。
【請求項１２】
前記合焦機能を有する負のレンズ群よりも物体側に開口絞りを含む請求項１乃至１１のいずれか１項に記載のズームレンズ。
【請求項１３】
受光する撮像素子と、
請求項１乃至１２のいずれか１項に記載のズームレンズと、
を有することを特徴とする撮像装置。
【発明の詳細な説明】
【技術分野】
【０００１】
本発明はズ−ムレンズ及びそれを有する撮像装置に関し、特にデジタルスチルカメラ、ビデオカメラ、監視カメラ、放送用カメラ、交換レンズ式カメラ、銀塩写真用カメラ等の撮像装置に用いるレンズとして好適なものである。
【背景技術】
【０００２】
近年、固体撮像素子を用いたデジタルスチルカメラ、ビデオカメラ、監視カメラ、放送用カメラ、交換レンズ式カメラ、銀塩写真用カメラ等の撮像装置は、高機能化され、又装置全体が小型化されている。
【０００３】
そして、それに用いる撮影光学系として広画角化および広角端の大口径比化とレンズ径全体の小型化を達成し、高解像力のズ−ムレンズであることが要求されている。
【０００４】
これらの要求を満足するズ−ムレンズとして、物体側より像側へ順に負の屈折力のレンズ群、正の屈折力のレンズ群を有し、像側から物体側へ順に負の屈折力のレンズ群、正の屈折力のレンズ群を有するズ−ムレンズが知られている（特許文献１、２）。
【先行技術文献】
【特許文献】
【０００５】
【特許文献１】特開平６−２１４１５６号公報
【特許文献２】特開２００３−４３３５８号公報
【発明の概要】
【発明が解決しようとする課題】
【０００６】
特許文献１は、レンズ全長が比較的短く、かつ結像性能の優れた結像性能を有するなどの特徴が知られている。その反面、最像側に配置されている負の屈折力のレンズ群の屈折力が強すぎることから、広角端における射出瞳位置が像面に近づきすぎてしまい、電子撮像素子（固体撮像素子）に対応可能な範囲のテレセントリック性を確保することが困難となる。
【０００７】
特許文献２は、フォーカス敏感度を従来よりも高め、かつ射出瞳を像面から十分に離し、固体撮像素子を用いた撮像装置に好適なる特徴を有することが知れられている。その反面、大口径比かつ小型化を図ろうとすると、最像側の負の屈折力のレンズ群が固定であることから、各群の屈折力を適切に設定しつつ、望遠端のレンズ全長を抑制することが困難となる。
【０００８】
本発明の目的は、高画角化および広角端の大口径比かつレンズ径全体の小型化を達成し、広角端から望遠端までの色収差や像面湾曲などを全ズーム域で良好に補正することが出来るズームレンズ及びそれを有する撮像装置を提供することである。
【課題を解決するための手段】
【０００９】
上記目的を達成するため、本発明に係るズームレンズは、物体側より像側へ順に、負の屈折力の第１レンズ群、正の屈折力の第２レンズ群を有し、像側から物体側へ順に合焦機能を有する負の屈折力のレンズ群、正もしくは負の屈折力の第３レンズ群を有し、最像側の前記負の屈折力のレンズ群の物体側に隣接して配置された正の屈折力のレンズ群を有し、広角端から望遠端へのズーミングに際して、前記第１レンズ群と第２レンズ群の間隔が狭まり、最像側に配置された前記負の屈折力のレンズ群と前記正の屈折力のレンズ群の間隔が狭まり、最像側に配置された前記負の屈折力のレンズ群が物体側に移動し、最像側の前記負の屈折力のレンズ群の最像側の曲率半径をｒｂ、最像側の前記負の屈折力のレンズ群の焦点距離をｆｎｒ 、 広角端のレンズ全系の焦点距離をｆｗとするとき、
−１２．０＜ｒｂ/ｆｎｒ＜−０．０１ 
−６．５０＜ｆｎｒ/ｆｗ＜−２．００
なる条件式を満足することを特徴とする。
【発明の効果】
【００１０】
本発明によれば、画角化および広角端の大口径比かつレンズ径全体の小型化を達成し、広角端から望遠端までの色収差や像面湾曲などを全ズーム域で良好に補正することが出来るズームレンズ及びそれを有する撮像装置が得られる。
【図面の簡単な説明】
【００１１】
【図１】実施例１のズ−ムレンズの広角端におけるレンズ断面図
【図２】実施例１のズ−ムレンズの広角端における諸収差図
【図３】実施例１のズ−ムレンズの中間ズ−ム位置における諸収差図
【図４】実施例１のズ−ムレンズの望遠端における諸収差図
【図５】実施例２のズ−ムレンズの広角端におけるレンズ断面図
【図６】実施例２のズ−ムレンズの広角端における諸収差図
【図７】実施例２のズ−ムレンズの中間ズ−ム位置における諸収差図
【図８】実施例２のズ−ムレンズの望遠端における諸収差図
【図９】実施例３のズ−ムレンズの広角端におけるレンズ断面図
【図１０】実施例３のズ−ムレンズの広角端における諸収差図
【図１１】実施例３のズ−ムレンズの中間ズ−ム位置における諸収差図
【図１２】実施例３のズ−ムレンズの望遠端における諸収差図
【図１３】実施例４のズ−ムレンズの広角端におけるレンズ断面図
【図１４】実施例４のズ−ムレンズの広角端における諸収差図
【図１５】実施例４のズ−ムレンズの中間ズ−ム位置における諸収差図
【図１６】実施例４のズ−ムレンズの望遠端における諸収差図
【図１７】実施例５のズ−ムレンズの広角端におけるレンズ断面図
【図１８】実施例５のズ−ムレンズの広角端における諸収差図
【図１９】実施例５のズ−ムレンズの中間ズ−ム位置における諸収差図
【図２０】実施例５のズ−ムレンズの望遠端における諸収差図
【図２１】実施例６のズ−ムレンズの広角端におけるレンズ断面図
【図２２】実施例６のズ−ムレンズの広角端における諸収差図
【図２３】実施例６のズ−ムレンズの中間ズ−ム位置における諸収差図
【図２４】実施例６のズ−ムレンズの望遠端における諸収差図
【図２５】実施例７のズ−ムレンズの広角端におけるレンズ断面図
【図２６】実施例７のズ−ムレンズの広角端における諸収差図
【図２７】実施例７のズ−ムレンズの中間ズ−ム位置における諸収差図
【図２８】実施例７のズ−ムレンズの望遠端における諸収差図
【図２９】実施例８のズ−ムレンズの広角端におけるレンズ断面図
【図３０】実施例８のズ−ムレンズの広角端における諸収差図
【図３１】実施例８のズ−ムレンズの中間ズ−ム位置における諸収差図
【図３２】実施例８のズ−ムレンズの望遠端における諸収差図
【図３３】撮像装置の一例としての要部概略図
【発明を実施するための形態】
【００１２】
以下に、本発明の実施の形態を添付の図面に基づいて詳細に説明する。
【００１３】
本発明のズームレンズは、物体側より像側へ順に、負の屈折力の第１レンズ群、正の屈折力の第２レンズ群を有し、正もしくは負の屈折力の第３レンズ群を有する構成とすることで、前玉径の小型化を図りつつ、広角端における倍率色収差及びコマ収差を良好に補正することが可能となる。
【００１４】
さらには、像側から物体側へ順に負の屈折力のレンズ群を有し、負のレンズ群の物体側に隣接して配置された正の屈折力のレンズ群を有する構成とすることで、広角端における大口径比化を図りつつも、ズーム全域の像面湾曲、倍率色収差を抑制している。また、各群のレンズ径を抑制することが可能となる。
【００１５】
さらには、広角端から望遠端へのズーミングに際し、第１レンズ群と第２レンズ群の間隔が狭まり、最像側に配置された負の屈折力のレンズ群と正の屈折力のレンズ群の間隔が狭まる構成としている。この構成とすることで、広角端の大口径比化を図りつつ、望遠端のレンズ全長を抑制することを可能としている。
【００１６】
そして、最像側の負のレンズ群をフォーカス群とすることで、最像側のレンズ群よりも物体側のレンズ群の屈折力を強めつつ、ズーム全域の像面湾曲を抑制することが可能となることから、広角端におけるバックフォーカスを短くすることが出来る。
【００１７】
また、最像側の負のレンズ群の最も像側のレンズは、像側に強い曲率の凹面を有する構成とすることで、広角端における歪曲収差を許容しつつも、近距離撮影時に発生する像面湾曲を抑制しながら、通常撮影時に発生する球面収差と非点収差の変動量を抑制することが出来る。
【００１８】
さらに、各実施例においては、次の条件を満足するようにしている。
−１２．０＜ｒｂ／ｆｎｒ＜−０．０１・・・（１）
−６．５０＜ｆｎｒ／ｆｗ＜−２．００・・・（２）
ｒｂ：最像側の負の屈折力のレンズ群の最像側の曲率半径
ｆｎｒ：最像側の負の屈折力のレンズ群の焦点距離
ｆｗ：広角端のレンズ全系の焦点距離
【００１９】
条件式（１）は、最像側の負の屈折力のレンズ群の最像側の曲率半径と最像側の負の屈折力のレンズ群の焦点距離の比を適切に設定している条件式である。条件式（１）の上限値を超えると、最像側の負の屈折力のレンズ群の最像側の曲率半径が小さくなりすぎてしまい、広角端における近距離撮影時に発生する像面湾曲を良好に保ちつつも、通常撮影時の像面変動を良好に抑制することが困難となる。もしくは、最像側の負の屈折力のレンズ群の焦点距離が長くなりすぎてしまい、高倍化するためには、最像側の負の屈折力のレンズ群と前記負の屈折力のレンズ群の物体側に隣接する正の屈折力のレンズ群の間隔変化量が増大しすぎてしまう。そのため、広角端におけるレンズ全長を抑制することが困難となる。
【００２０】
また、下限値を超えると、広角端における射出瞳位置が像面に近づきすぎてしまい、電子撮像素子（固体撮像素子）に対応可能な範囲のテレセントリック性を確保することが困難となる。もしくは、最像側の負の屈折力のレンズ群の焦点距離が短くなりすぎてしまい、ズーム全域の像面湾曲を抑制することが困難となる。
【００２１】
条件式（２）は最像側の負の屈折力のレンズ群の焦点距離と広角端のレンズ全系の焦点距離の比を適切に設定している条件式である。条件式（２）の上限値を超えると、最像側の負の屈折力のレンズ群の焦点距離が短くなりすぎてしまい、ズーム全域の像面湾曲を抑制することが困難となる。
【００２２】
また、下限値を超えると、最像側の負の屈折力のレンズ群の焦点距離が長くなりすぎてしまい、最像側の負の屈折力のレンズ群と前記負の屈折力のレンズ群の物体側に隣接する正の屈折力のレンズ群の間隔変化量が増大しすぎてしまう。そのため、広角端におけるレンズ全長を抑制することが困難となる。
【００２３】
更に好ましくは、各条件式の数値範囲を次の如く設定するのが良い。
−１０．９＜ｒｂ／ｆｎｒ＜−０．２２・・・（１ａ）
−６．２０＜ｆｎｒ／ｆｗ＜−２．１９・・・（２ａ）
更に好ましくは、各条件式の数値範囲を次の如く設定するのが良い。
−９．８０＜ｒｂ／ｆｎｒ＜−０．４２・・・（１ｂ）
−５．９０＜ｆｎｒ／ｆｗ＜−２．３７・・・（２ｂ）
【００２４】
本発明のズ−ムレンズは、以上のような構成を満足することにより実現されるが、小型化を維持しつつ更に光学性能を良好に維持するためには、以下の条件を満足することが望ましい。
−４．００＜ｆ１／ｆｔ＜−０．２０・・・（３）
ｆ１：第１レンズ群の焦点距離
ｆｔ：望遠端のレンズ全系の焦点距離
【００２５】
条件式（３）は第１レンズ群の焦点距離と望遠端のレンズ全系の焦点距離の比を適切に設定している条件式である。条件式（３）の上限を超えると第１レンズ群の焦点距離が短くなりすぎてしまい、ズーム全域の像面湾曲を抑制することが困難となる。また、下限値を超えると、第１レンズ群の焦点距離が長くなりすぎてしまい、所望のズーム比を得るためには、第１レンズ群と第２レンズ群の間隔変化量が増大しすぎてしまうことから、広角端におけるレンズ全長を抑制することが困難となる。
【００２６】
また、以下の条件式を満足することが望ましい。
−３．００＜ｆ１/ｆ２＜−０．２０   ・・・（４）
ｆ２：第２レンズ群の焦点距離
【００２７】
条件式（４）は、第１レンズ群と第２レンズ群の焦点距離の比を適切に設定している条件式である。条件式（４）の上限値を超えると、第１レンズ群の焦点距離が短くなりすぎてしまい、ズーム全域の像面湾曲を抑制することが困難となる。もしくは、第２レンズ群の焦点距離が長くなりすぎてしまい、所望のズーム比を得るためには、第１レンズ群と第２レンズ群の間隔変化量が増大しすぎてしまうことから、広角端におけるレンズ全長を抑制することが困難となる。
【００２８】
また、下限値を超えると、第１レンズ群の焦点距離が長くなりすぎてしまい、所望のズーム比を得るためには、第１レンズ群と第２レンズ群の間隔変化量が増大しすぎてしまうことから、広角端におけるレンズ全長を抑制することが困難となる。もしくは、第２レンズ群の焦点距離が短くなりすぎてしまい、ズーム全域の像面湾曲及び広角端におけるコマ収差を抑制することが困難となる。
【００２９】
また、以下の条件式を満足することが望ましい。
０．２０＜Ｍ３/Ｍ２＜５．００・・・（５）
Ｍ２：広角端及び望遠端における該第２レンズ群の像面に対する相対的移動量
Ｍ３：広角端及び望遠端における該第３レンズ群の像面に対する相対的移動量
【００３０】
条件式（５）は、広角端及び望遠端における該第２レンズ群と第３レンズ群の像面に対する相対的移動量の比を適切に設定している条件式である。条件式（５）の上限値を超えると、第３レンズ群Ｂ３の移動量が大きくなりすぎてしまうことから、望遠端におけるレンズ全長を抑制することが困難となる。もしくは、第２レンズ群の移動量が小さくなりすぎてしまい、望遠端における球面収差を抑制することが困難となる。
【００３１】
条件式（５）の下限値を超えると、第３レンズ群Ｂ３の移動量が小さくなりすぎてしまい、変倍のために第３レンズ群の屈折力を強くする必要があることから、ズーム全域における像面湾曲、コマ収差を抑制することが困難となる。もしくは、第２レンズ群Ｂ２と第３レンズ群Ｂ３の間隔変化量が増大しすぎてしまうことから望遠端におけるレンズ全長を抑制することが困難となる。
【００３２】
また、以下の条件式を満足することが望ましい。
−１０．００＜（ｒａ+ｒｂ）/（ｒａ−ｒｂ）＜６．００・・・（６）
ｒａ：合焦機能有する負の屈折力のレンズ群の最も物体側の曲率半径
【００３３】
条件式（６）は、合焦機能有する負の屈折力のレンズ群の最も物体側の曲率半径と最像側の曲率半径のレンズ形状を適切に設定している条件式である。条件式（６）の上限値を超えると、広角端における射出瞳位置が像面に近づきすぎてしまい、電子撮像素子（固体撮像素子）に対応可能な範囲のテレセントリック性を確保することが困難となる。
【００３４】
条件式（６）の下限値を超えると、ズーム全域における通常撮影時かあら近接撮影時迄の球面収差と非点収差の変動量が増大しすぎてしまい、結果近接撮影時の像面湾曲を抑制することが困難となる。
【００３５】
また、以下の条件式を満足することが望ましい。
１．７０＜Ｎｒ・・・（７）
Ｎｒ：最像側の負の屈折力のレンズ群に配置された最像側の負レンズの屈折率
条件式（７）は、最像側の負の屈折力のレンズ群に配置された最像側の負レンズの屈折率を適切に設定している条件式である。条件式（７）の下限値を超えると、所望の屈折力を確保するためには、レンズ外周部が厚くなってしまい、最終レンズ群の薄型化が困難となる。
【００３６】
また、以下の条件式を満足することが望ましい。
０．０２＜Ｍｒ/ｆｗ ＜５．００・・・（８）
Ｍｒ：広角端及び望遠端における該最像側の負の屈折力のレンズ群の像面に対する相対的移動量
条件式（８）は、広角端及び望遠端における該最像側の負の屈折力のレンズ群の像面に対する相対的移動量を適切に設定している条件式である。条件式（８）の上限値を超えると、広角端から望遠端のズーミングに際し、最像側のレンズ群の最大移動量が増大しすぎてしまい、望遠端におけるレンズ全長が増大してしまうこととなる。
【００３７】
条件式（８）の下限値を超えると、広角端から望遠端のズーミングに際し、最像側の負の屈折力のレンズ群の最大移動量が減少しすぎてしまい、所望のズーム比を得るためには、最像側の負の屈折力のレンズ群の屈折力を強くする必要がある。そのため、ズーム全域における像面湾曲、コマ収差、倍率色収差の補正が困難となる。
―２００．００＜（ｒ１１ｂ+ｒ１２a）/（ｒ１１ｂ−ｒ１２ａ）＜−１．００・・・（９）
ｒ１２ａ：第１レンズ群の最像側の正レンズの物体側の曲率半径
ｒ１１ｂ：第１レンズ群の最も物体側の負レンズの像側の曲率半径
【００３８】
条件式（９）は、第１レンズ群の最も物体側の負レンズと第１レンズ群の最像側の正レンズで構成される空気レンズのレンズ形状を適切に設定している条件式である。条件式（９）の上限値を超えると、第１レンズ群の負レンズと正レンズで構成される空気レンズのメニスカス形状の度合いが弱まりすぎてしまい、広角端における像面湾曲、非点収差が増大することとなる。
【００３９】
条件式（９）の下限値を超えると、第１レンズ群の負レンズと正レンズで構成される空気レンズのメニスカス形状の度合いが強まりすぎてしまい、望遠端における球面収差、軸上色収差が増大することとなる。
【００４０】
更に好ましくは、各条件式の数値範囲を次の如く設定するのが良い。
−２．３８＜ｆ１／ｆｔ＜−０．３９・・・（３ａ）
−１．９７＜ｆ１／ｆ２＜−０．３１・・・（４ａ）
０．４８＜Ｍ３／Ｍ２＜３．１２・・・（５ａ）
−６．５４＜（ｒａ＋ｒｂ）／（ｒａ−ｒｂ）＜３．８３・・・（６ａ）
１．７０＜Ｎｒ＜２．００・・・（７ａ）
０．０５＜Ｍｒ／ｆｗ＜３．１２・・・（８ａ）
―１６４．４１＜（ｒ１１ｂ＋ｒ１２ａ）／（ｒ１１ｂ−ｒ１２ａ）＜−２．０１・・・（９ａ）
【００４１】
更に好ましくは、各条件式（３ａ）〜（９ａ）の数値範囲を次の如く設定するのが良い。
−０．５９＜ｆ１／ｆｔ＜−０．７５・・・（３ｂ）
−０．９５＜ｆ１／ｆ２＜−０．４１・・・（４ｂ）
０．７５＜Ｍ３／Ｍ２＜１．２５・・・（５ｂ）
−３．０８＜（ｒａ＋ｒｂ）／（ｒａ−ｒｂ）＜１．６７・・・（６ｂ）
１．８＜Ｎｒ＜２．０１・・・（７ｂ）
０．０８＜Ｍｒ／ｆｗ＜１．２４・・・（８ｂ）
―１２８．８２＜（ｒ１１ｂ＋ｒ１２ａ）／（ｒ１１ｂ−ｒ１２ａ）＜−３．０１・・・（９ｂ）
【００４２】
更には、各数値実施例のズ−ムレンズは、諸収差のうち歪曲収差及び倍率色収差の補正を電気的な画像処理によって補正しても良い。
【００４３】
以下に、本発明のズ−ムレンズの実施形態（数値実施例）について図面を参照して説明する。各数値実施例においては、物体側から面番号を順に示し、ｒは曲率半径、ｄは間隔、ｎｄ、ｖｄはそれぞれｄ線を基準とした屈折率、アッベ数を示す。
【００４４】
また、各数値実施例において最像側の２面は光学ブロックＧに相当する平面である。また、Ｋを円錐定数、Ａ４、Ａ６、Ａ８、Ａ１０はそれぞれ４次、６次、８次、１０次の非球面係数である。
【００４５】
非球面形状は、光軸からの高さｈの位置での光軸方向の変位を、面頂点を基準にしてｘとするとき
ｘ＝（ｈ２／ｒ）／［１＋｛１−（１＋Ｋ）（ｈ／ｒ）２｝１／２］
＋Ａ４  ・ｈ４＋Ａ６・ｈ６＋Ａ８・ｈ８＋Ａ１０・ｈ１０
で表される。但し、ｒは近軸曲率半径である。また、例えば「ｅ−Ｚ」の表示は「１０−Ｚ」を意味する。
【００４６】
図において、ｒｉは物体側からｉ番目の面の曲率半径、ｄｉは物体側からｉ番目の面とｉ＋１番目の面との間の面間隔、ｎｉは第ｉ番目のレンズのｄ線における屈折率、nｉは第ｉ番目のレンズのｄ線におけるアッベ数を示すものとする。尚、非球面は各表中の面番号の右側に＊印を付している。
【００４７】
図１は本発明の実施例１のズ−ムレンズの広角端におけるレンズ断面図、図２、図３、図４はそれぞれ実施例１のズ−ムレンズの広角端、中間のズ−ム位置、望遠端における収差図である。
【００４８】
図５は本発明の実施例２のズ−ムレンズの広角端におけるレンズ断面図、図６、図７、図８はそれぞれ実施例２のズ−ムレンズの広角端、中間のズ−ム位置、望遠端における収差図である。
【００４９】
図９は本発明の実施例３のズ−ムレンズの広角端におけるレンズ断面図、図１０、図１１、図１２はそれぞれ実施例３のズ−ムレンズの広角端、中間のズ−ム位置、望遠端における収差図である。
【００５０】
図１３は本発明の実施例４のズ−ムレンズの広角端におけるレンズ断面図、図１４、図１５、図１６はそれぞれ実施例４のズ−ムレンズの広角端、中間のズ−ム位置、望遠端における収差図である。
【００５１】
図１７は本発明の実施例５のズ−ムレンズの広角端におけるレンズ断面図、図１８、図１９、図２０はそれぞれ実施例５のズ−ムレンズの広角端、中間のズ−ム位置、望遠端における収差図である。
【００５２】
図２１は本発明の実施例６のズ−ムレンズの広角端におけるレンズ断面図、図２２、図２３、図２４はそれぞれ実施例６のズ−ムレンズの広角端、中間のズ−ム位置、望遠端における収差図である。
【００５３】
図２５は本発明の実施例７のズ−ムレンズの広角端におけるレンズ断面図、図２６、図２７、図２８はそれぞれ実施例７のズ−ムレンズの広角端、中間のズ−ム位置、望遠端における収差図である。
【００５４】
図２９は本発明の実施例８のズ−ムレンズの広角端におけるレンズ断面図、図３０、図３１、図３２はそれぞれ実施例８のズ−ムレンズの広角端、中間のズ−ム位置、望遠端における収差図である。
【００５５】
図３３において、１０は撮像装置の一例としての図、１１は本発明のズ−ムレンズによって構成された撮影光学系、１２は撮影光学系１１によって形成された被写体像を受光するＣＣＤセンサやＣＭＯＳセンサ等の固体撮像素子（光電変換素子）を示す。また、１３は撮像素子１２が受光した被写体像を記録する記録手段、１４は不図示の表示素子に表示された被写体像を観察するためのファインダ−である。上記表示素子は液晶パネル等によって構成され、撮像素子１２上に形成された披写体像が表示される。
【００５６】
ＧＢは光学フィルタ−、フェ−スプレ−ト等に相当する光学ブロックである。ＩＰは像面である。ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００５７】
なお、収差図において、ｄ、ｇはｄ線及びｇ線、ΔＭ、ΔＳはメリジオナル像面、サジタル像面を表している。ＦはＦナンバ−、ωは半画角である。球面収差においては、ｄ線（実線）およびｇ線（点線）を示す。非点収差においてはｄ線におけるΔM、ΔSを表示し、歪曲収差においてはｄ線を表示し、倍率色収差においてはd線に対するｇ線の収差を表示し、倍率色収差においてはd線に対するｇ線の収差を示す。
【００５８】
実施例１〜実施例８のズ−ムレンズは撮像装置に用いられる撮影レンズ系であり、レンズ断面図において、左方が物体側で、右方が像側である。レンズ断面図において、実施例１〜５は、Ｂ１は負の屈折力を有する第１レンズ群、Ｂ２は正の屈折力を有する第２レンズ群、Ｂ３は正の屈折力を有する第３レンズ群、Ｂ４は正の屈折力を有する第４レンズ群である。また、Ｂ５は負の屈折力を有する第５レンズ群、ＳＰは開口絞りである。
【００５９】
実施例６は、Ｂ１は負の屈折力を有する第１レンズ群、Ｂ２は正の屈折力を有する第２レンズ群、Ｂ３は正の屈折力を有する第３レンズ群、また、Ｂ４は負の屈折力を有する第４レンズ群、ＳＰは開口絞りである。
【００６０】
実施例７は、Ｂ１は負の屈折力を有する第１レンズ群、Ｂ２は正の屈折力を有する第２レンズ群、Ｂ３は負の屈折力を有する第３レンズ群、また、Ｂ４は正の屈折力を有する第４レンズ群、Ｂ５は負の屈折力を有する第５レンズ群、ＳＰは開口絞りである。
【００６１】
実施例８は、Ｂ１は負の屈折力を有する第１レンズ群、Ｂ２は正の屈折力を有する第２レンズ群、Ｂ３は正の屈折力を有する第３レンズ群、Ｂ４は正の屈折力を有する第４レンズ群である。また、Ｂ５は負の屈折力を有する第５レンズ群、ＳＰは開口絞りである。
【００６２】
実施例１〜５では、広角端から望遠端へのズ−ミングに際し、矢印のように、第１レンズ群Ｂ１を物体側に移動、第２レンズ群Ｂ２を物体側に移動することによって変倍を行う。第３レンズ群Ｂ３を物体側に移動することによって変倍を行う。また、第４レンズ群Ｂ４を物体側に移動する。また、第５レンズ群Ｂ５を物体側に移動することによって変倍を行う。また、第５レンズ群Ｂ５を像側に移動することによって変倍に伴う像面変動を補正している。
【００６３】
実施例６では、広角端から望遠端へのズ−ミングに際し、矢印のように、第１レンズ群Ｂ１を物体側に移動、第２レンズ群Ｂ２を物体側に移動することによって変倍を行う。第３レンズ群Ｂ３を物体側に移動することによって変倍を行う。また、第４レンズ群Ｂ４を物体側に移動する。また、第４レンズ群Ｂ４を像側に移動することによって変倍に伴う像面変動を補正している。
【００６４】
実施例７では、広角端から望遠端へのズ−ミングに際し、矢印のように、第１レンズ群Ｂ１を物体側に移動、第２レンズ群Ｂ２を物体側に移動することによって変倍を行う。第３レンズ群Ｂ３を物体側に移動することによって変倍を行う。また、第４レンズ群Ｂ４を物体側に移動することによって変倍を行う。また、第５レンズ群Ｂ５を物体側に移動する。また、第５レンズ群Ｂ５を像側に移動することによって変倍に伴う像面変動を補正している。
【００６５】
ここで、実施例における各群内の構成について説明する。実施例１〜３は、第１レンズ群は負レンズ、正レンズからなる構成とすることで広角端の倍率色収差を抑制しつつ、必要最低限のレンズ枚数として第１レンズ群の小型化に寄与している。第２レンズ群は正レンズ、正レンズと負レンズの接合レンズにより構成している。これによって、第２レンズ群と第３レンズ群の主点間隔を小さくすることで第２レンズ群以降のレンズ全長を短縮している。
【００６６】
第３レンズ群は、正レンズにより構成している。これによって、最小構成枚数で軸上光束を効率よく収束させることが可能となり、広角端全長の短縮を可能にしている。第４レンズは、正レンズにより構成している。これによって、最小構成枚数で軸上光束を効率よく収束させることが可能となり、広角端全長の短縮を可能にしている。第５レンズは、負レンズにより構成している。これによって、非点収差と球面収差を適切に設定することが出来るようになる。その為、近距離撮影時に発生する像面湾曲を良好に保ちつつも、通常撮影時の像面変動を良好に抑制することが出来るようになる。
【００６７】
実施例４〜５は、第１レンズ群は負レンズ、正レンズからなる構成とすることで広角端の倍率色収差を抑制しつつ、必要最低限のレンズ枚数として第１レンズ群の小型化に寄与している。第２レンズ群は正レンズ、正レンズと負レンズの接合レンズにより構成している。これによって、第２レンズ群と第３レンズ群の主点間隔を小さくすることで第２レンズ群以降のレンズ全長を短縮している。
【００６８】
第３レンズ群は、正レンズにより構成している。軸上光束を効率よく収束させることが可能となり、結果広角端全長の短縮を可能にしている。第４レンズは、正レンズにより構成している。軸上光束を効率よく収束させることが可能となり、結果広角端全長の短縮を可能にしている。第５レンズは、負レンズ、正レンズにより構成している。これによって、非点収差と球面収差を適切に設定することが出来るようになる。その為、近距離撮影時に発生する像面湾曲を良好に保ちつつも、通常撮影時の像面変動を良好に抑制することが出来るようになる。
【００６９】
実施例６は、第１レンズ群は負レンズ、正レンズからなる構成とすることで広角端の倍率色収差を抑制しつつ、必要最低限のレンズ枚数として第１レンズ群の小型化に寄与している。第２レンズ群は、正レンズ、正レンズと負レンズの接合レンズ、正レンズにより構成している。これによって、第２レンズ群と第３レンズ群の主点間隔を小さくすることで第２レンズ群以降のレンズ全長を短縮している。
【００７０】
第３レンズ群は、正レンズにより構成している。軸上光束を効率よく収束させることが可能となり、広角端全長の短縮を可能にしている。第４レンズは、負レンズ、正レンズにより構成している。軸上光束を効率よく収束させることが可能となり、結果広角端全長の短縮を可能にしている。これによって、非点収差と球面収差を適切に設定することが出来るようになる。その為、近距離撮影時に発生する像面湾曲を良好に保ちつつも、通常撮影時の像面変動を良好に抑制することが出来るようになる。
【００７１】
実施例７は、第１レンズ群は負レンズ、正レンズからなる構成とすることで広角端の倍率色収差を抑制しつつ、必要最低限のレンズ枚数として第１レンズ群の小型化に寄与している。第２レンズ群は、正レンズ、正レンズと負レンズの接合レンズにより構成している。これによって、第２レンズ群と第３レンズ群の主点間隔を小さくすることで第２レンズ群以降のレンズ全長を短縮している。
【００７２】
第３レンズ群は、負レンズにより構成している。これによって、最小構成枚数で効率よく変倍させることが可能となり、結果望遠端全長の短縮を可能にしている。第４レンズは、正レンズにより構成している。これによって、軸上光束を効率よく収束させることが可能となり、結果広角端全長の短縮を可能にしている。第５レンズは、負レンズにより構成している。軸上光束を効率よく収束させることが可能となり、結果広角端全長の短縮を可能にしている。これによって、非点収差と球面収差を適切に設定することが出来るようになる。その為、近距離撮影時に発生する像面湾曲を良好に保ちつつも、通常撮影時の像面変動を良好に抑制することが出来るようになる。
【００７３】
実施例８は、第１レンズ群は負レンズ、正レンズからなる構成とすることで広角端の倍率色収差を抑制しつつ、必要最低限のレンズ枚数として第１レンズ群の小型化に寄与している。第２レンズ群は、正レンズ、正レンズと負レンズの接合レンズにより構成している。これによって、第２レンズ群と第３レンズ群の主点間隔を小さくすることで第２レンズ群以降のレンズ全長を短縮している。
【００７４】
第３レンズ群は、正レンズにより構成している。これによって、最小構成枚数で軸上光束を効率よく収束させることが可能となり、結果広角端全長の短縮を可能にしている。第４レンズは、正レンズにより構成している。これによって、最小構成枚数で軸上光束を効率よく収束させることが可能となり、結果広角端全長の短縮を可能にしている。第５レンズは、負レンズにより構成している。これによって、軸上光束を効率よく収束させることが可能となり、結果広角端全長の短縮を可能にしている。これによって、非点収差と球面収差を適切に設定することが出来るようになる。その為、近距離撮影時に発生する像面湾曲を良好に保ちつつも、通常撮影時の像面変動を良好に抑制することが出来るようになる。
【００７５】
以下に、実施例１〜８に対応した数値実施例１〜８を示す。そして、明細書中に記載している条件式に対する、数値実施例１〜４の数値を表１に、また数値実施例５〜８の数値を表２に示す。
【００７６】
（数値実施例１）
単位 mm
面データ
面番号       r        d      nd         vd
1*       -70.695    0.70   1.69350    53.2           
2*         8.777    2.18                             
3         14.281    1.65   2.00272    19.3           
4         22.941  (可変)                             
5*        12.640    2.28   1.88202    37.2           
6*       -71.498    0.23                             
7         15.968    2.32   1.69680    55.5           
8        -22.415    0.40   2.00069    25.5           
9         10.883    1.14                             
10(絞り)    ∞     (可変)                             
11*        24.672    2.43   1.49710    81.6           
12*       -20.521  (可変)                             
13*       595.211    2.17   1.80610    40.7           
14*       -25.261  (可変)                             
15*       181.087    0.45   1.58313    59.4           
16*        15.766  (可変)                             
17          ∞       1.09   1.51633    64.1           
18          ∞       3.00                             
像面        ∞   
【００７７】
非球面データ
第1面
K = 0.00000e+000  A 4=-5.13904e-005  A 6= 1.04531e-006  A 8=-1.08015e-008  A10= 6.25379e-011  A12=-1.80966e-013  
第2面
K =-8.37631e-001  A 4=-3.38124e-005  A 6= 3.90550e-007  A 8= 8.37958e-009  A10=-1.18732e-010  A12= 9.52942e-014  
第5面
K = 0.00000e+000  A 4=-2.98743e-005  A 6= 7.68888e-008  A 8= 9.94722e-009  A10=-2.70364e-010  
第6面
K = 0.00000e+000  A 4= 3.31465e-005  A 6= 6.63286e-007  A 8=-1.42815e-008  
第11面
K = 0.00000e+000  A 4= 2.96974e-005  A 6=-2.94168e-007  A 8=-4.37403e-010  
第12面
K = 0.00000e+000  A 4= 5.31092e-005  A 6= 8.00976e-007  A 8=-1.06149e-008  
第13面
K = 0.00000e+000  A 4=-1.25609e-004  A 6=-1.92550e-006  A 8= 4.74776e-008  A10=-6.79418e-010  
第14面
K = 0.00000e+000  A 4=-3.34101e-005  A 6=-2.91892e-006  A 8= 5.94097e-008  A10=-6.48735e-010  
第15面
K = 0.00000e+000  A 4=-3.55697e-004  A 6= 5.73564e-006  A 8=-4.05751e-008  
第16面
K = 0.00000e+000  A 4=-3.74765e-004  A 6= 6.61034e-006  A 8=-4.70612e-008  
各種データ
ズーム比      2.66 
広角     中間     望遠
焦点距離      10.41    18.40    27.74  
Fナンバー      2.06     3.65     4.90  
画角          34.30    23.24    15.90  
像高           7.10     7.90     7.90  
レンズ全長    50.41    47.32    50.99  
BF            10.41    18.40    27.74  
d 4           14.51     4.48     0.40  
d10            7.80     5.61     4.35  
d12            0.50     9.27    18.60  
d14            3.11     1.90     1.00  
d16            4.47     6.03     6.61  
ズームレンズ群データ
群  始面    焦点距離  
1    1     -17.37  
2    5      22.25  
3   11      22.95  
4   13      30.11  
5   15     -29.64     
【００７８】
（数値実施例２）
単位 mm
面データ
面番号       r        d      nd         vd
1*       -70.695    0.70   1.69350    53.2           
2*         8.909    3.03                             
3         15.545    2.09   2.00272    19.3           
4         25.661  (可変)                             
5          ∞       0.22                             
6*        13.085    2.37   1.88202    37.2           
7*       -50.410    0.06                             
8         18.789    2.32   1.69680    55.5           
9        -16.622    0.40   2.00069    25.5           
10         12.848    1.02                             
11(絞り)    ∞     (可変)                             
12*        24.672    2.24   1.49710    81.6           
13*       -36.027  (可変)                             
14*       595.211    1.75   2.00090    28.8           
15*       -28.336  (可変)                             
16*       181.087    0.45   1.89351    34.3           
17*        22.274  (可変)                             
18          ∞       1.09   1.51633    64.1           
19          ∞       2.45                         
像面        ∞   
【００７９】
非球面データ
第1面
K = 0.00000e+000  A 4=-8.52850e-005  A 6= 2.02328e-006  A 8=-2.49979e-008  A10= 1.49923e-010  A12=-3.24183e-013  
第2面
K =-7.51529e-001  A 4=-6.47603e-005  A 6= 7.16402e-007  A 8= 2.38332e-008  A10=-7.12301e-010  A12= 5.09446e-012  
第6面
K = 0.00000e+000  A 4=-6.65682e-007  A 6= 1.68094e-007  A 8= 7.72650e-009  A10=-1.52233e-010  
第7面
K = 0.00000e+000  A 4= 6.83495e-005  A 6= 2.47804e-007  A 8=-8.84658e-009  
第12面
K = 0.00000e+000  A 4= 3.90685e-004  A 6= 6.48852e-006  A 8= 4.30639e-008  
第13面
K = 0.00000e+000  A 4= 4.15063e-004  A 6= 8.88935e-006  A 8= 1.44037e-007  
第14面
K = 0.00000e+000  A 4=-2.28443e-004  A 6=-1.76452e-006  A 8=-1.12164e-008  A10=-5.23312e-012  
第15面
K = 0.00000e+000  A 4=-1.47495e-004  A 6=-3.12603e-006  A 8=-5.00930e-010  
第16面
K = 0.00000e+000  A 4=-6.89129e-005  A 6=-4.18389e-006  
第17面
K = 0.00000e+000  A 4=-1.23777e-004  A 6=-2.75555e-006  
各種データ
ズーム比      2.76 
広角     中間     望遠
焦点距離       9.99    18.33    27.63  
Fナンバー      2.06     3.65     4.90  
画角          35.39    23.32    15.96  
像高           7.10     7.90     7.90  
レンズ全長    50.94    47.26    50.95  
BF             7.52    11.78    18.07  
d 4           15.24     4.54     0.54  
d11            6.76     4.45     3.22  
d13            1.00     7.59    11.57  
d15            3.38     1.87     0.50  
d17            4.35     8.61    14.90  
ズームレンズ群データ
群  始面    焦点距離  
1    1     -17.89  
2    5      21.43  
3   12      29.82  
4   14      27.06  
5   16     -28.46  
【００８０】
（数値実施例３）
単位 mm
面データ
面番号       r        d      nd         vd
1*       -70.695    0.70   1.69350    53.2           
2*         9.121    2.37                             
3         18.167    1.67   2.00272    19.3           
4         26.684  (可変)                             
5*         9.386    3.47   1.88202    37.2           
6*       -24.470    0.06                             
7        113.245    1.44   1.69680    55.5           
8        -40.575    0.40   2.00069    25.5           
9          7.960    1.66                             
10(絞り)    ∞     (可変)                             
11*        24.672    2.55   1.49710    81.6           
12*       -12.398  (可変)                             
13*       595.211    2.53   2.00100    29.1           
14*       -94.247  (可変)                             
15*       181.087    0.45   2.00100    29.1           
16*        44.999  (可変)                             
17          ∞       1.09   1.51633    64.1           
18          ∞       1.61                           
像面        ∞   
【００８１】
非球面データ
第1面
K = 0.00000e+000  A 4= 3.78481e-005  A 6=-5.21385e-007  A 8= 3.89353e-009  A10=-1.39136e-011  A12= 5.72739e-015  
第2面
K =-7.57199e-001  A 4= 2.97929e-005  A 6= 2.86078e-007  A 8=-2.07464e-008  A10= 3.10267e-010  A12=-1.82621e-012  
第5面
K = 0.00000e+000  A 4=-6.70674e-005  A 6= 1.72458e-007  A 8=-1.23274e-008  A10= 3.51205e-011  
第6面
K = 0.00000e+000  A 4= 3.26760e-004  A 6=-3.15864e-006  A 8= 1.99713e-008  
第11面
K = 0.00000e+000  A 4= 2.80739e-004  A 6=-3.42737e-006  A 8=-4.00229e-009  
第12面
K = 0.00000e+000  A 4=-5.59804e-005  A 6= 1.04125e-006  A 8=-3.62760e-008  
第13面
K = 0.00000e+000  A 4=-5.54728e-004  A 6=-4.41299e-007  
第14面
K = 0.00000e+000  A 4=-4.51676e-004  A 6= 2.20622e-006  
第15面
K = 0.00000e+000  A 4=-1.79921e-004  A 6= 1.80153e-006  
第16面
K = 0.00000e+000  A 4=-1.48434e-004  A 6= 1.21513e-006  
各種データ
ズーム比      2.40 
広角     中間     望遠
焦点距離      10.27    16.32    24.60  
Fナンバー      2.06     3.65     4.90  
画角          34.66    25.84    17.80  
像高           7.10     7.90     7.90  
レンズ全長    50.95    47.71    50.95  
BF            10.22    11.59    15.98  
d 4           15.54     6.05     0.40  
d10            2.40     3.21     4.21  
d12            4.63     5.24     5.83  
d14            0.50     3.96     6.87  
d16            7.89     9.26    13.65  
ズームレンズ群データ
群  始面    焦点距離  
1    1     -15.27  
2    5      26.77  
3   11      16.99  
4   13      81.43  
5   15     -59.92  
【００８２】
（数値実施例４）
単位 mm
面データ
面番号       r        d      nd         vd
1*       -70.695    0.70   1.72916    54.7           
2*        10.165    2.00                             
3         14.927    1.71   2.00272    19.3           
4         19.440  (可変)                             
5*        11.061    4.00   1.88202    37.2           
6*       -24.210    0.17                             
7        447.843    1.41   1.69680    55.5           
8        -30.451    0.40   2.00069    25.5           
9          9.702    1.55                             
10(絞り)    ∞     (可変)                             
11*        24.672    2.31   1.49710    81.6           
12*       -16.576  (可変)                             
13*       595.211    1.89   1.72916    54.7           
14*       -18.620  (可変)                             
15        -19.960    0.50   1.80243    42.2           
16        -71.300    0.06                             
17*       181.087    0.60   1.72976    54.5           
18*        50.712  (可変)                             
19          ∞       1.09   1.51633    64.1           
20          ∞       1.61                            
像面        ∞   
【００８３】
非球面データ
第1面
K = 0.00000e+000  A 4= 9.80297e-006  A 6= 1.56820e-007  A 8=-3.40103e-009  A10= 2.50499e-011  A12=-6.49568e-014  
第2面
K =-9.57961e-001  A 4= 5.91962e-005  A 6= 4.64134e-007  A 8=-1.19267e-009  A10=-4.65738e-011  A12= 4.64999e-013  
第5面
K = 0.00000e+000  A 4=-3.89269e-005  A 6= 7.92845e-008  A 8=-8.15884e-009  A10= 7.33661e-011  
第6面
K = 0.00000e+000  A 4= 2.66739e-004  A 6=-2.68772e-006  A 8= 1.85305e-008  
第11面
K = 0.00000e+000  A 4= 2.28533e-004  A 6=-4.23830e-006  A 8= 3.22198e-008  
第12面
K = 0.00000e+000  A 4=-3.34146e-005  A 6=-1.32724e-006  A 8= 7.27449e-009  
第13面
K = 0.00000e+000  A 4=-3.49785e-004  A 6=-4.16605e-006  
第14面
K = 0.00000e+000  A 4=-2.42788e-004  A 6=-2.61561e-006  
第17面
K = 0.00000e+000  A 4=-2.79668e-004  A 6= 5.02519e-006  
第18面
K = 0.00000e+000  A 4=-2.53520e-004  A 6= 3.98513e-006  
各種データ
ズーム比      2.42 
広角     中間     望遠
焦点距離      10.40    16.70    25.18  
Fナンバー      2.06     3.65     4.90  
画角          34.32    25.32    17.42  
像高           7.10     7.90     7.90  
レンズ全長    50.97    47.87    50.93  
BF             6.49    10.91    17.63  
d 4           15.21     5.82     0.40  
d10            1.63     2.67     3.68  
d12            5.65     5.13     5.04  
d14            4.33     5.68     6.52  
d18            4.16     8.58    15.30  
ズームレンズ群データ
群  始面    焦点距離  
1    1     -15.55  
2    5      31.22  
3   11      20.32  
4   13      24.79  
5   15     -25.36  
【００８４】
（数値実施例５）
単位 mm
面データ
面番号       r        d      nd         vd
1*       -70.695    0.70   1.69925    56.4           
2*         8.286    2.00                             
3         12.704    1.71   2.00272    19.3           
4         16.114  (可変)                             
5*        11.226    4.00   1.88202    37.2           
6*       -18.102    0.15                             
7       -102.529    1.20   1.69680    55.5           
8        -36.381    0.40   2.00069    25.5           
9          9.299    1.44                             
10(絞り)    ∞     (可変)                             
11*        24.672    2.19   1.49710    81.6           
12*       -18.212  (可変)                             
13*       595.211    1.98   1.72916    54.7           
14*       -16.293  (可変)                             
15        -22.356    0.50   1.59194    36.7           
16       -216.692    0.07                             
17*       181.087    1.01   1.49817    80.1           
18*       443.460  (可変)                             
19          ∞       1.09   1.51633    64.1           
20          ∞       1.61                           
像面        ∞   
【００８５】
非球面データ
第1面
K = 0.00000e+000  A 4= 4.46600e-005  A 6=-4.89721e-007  A 8= 2.97840e-009  A10=-8.87778e-012  A12= 2.08388e-015  
第2面
K =-8.20177e-001  A 4= 8.67948e-005  A 6= 7.67506e-007  A 8=-2.28792e-008  A10= 3.19143e-010  A12=-1.88925e-012  
第5面
K = 0.00000e+000  A 4=-1.98160e-005  A 6= 8.23486e-007  A 8=-4.15494e-008  A10= 8.99496e-010  
第6面
K = 0.00000e+000  A 4= 4.71388e-004  A 6=-7.17452e-006  A 8= 8.78108e-008  
第11面
K = 0.00000e+000  A 4= 5.52280e-004  A 6=-1.20338e-005  A 8= 1.61992e-007  
第12面
K = 0.00000e+000  A 4=-3.04806e-005  A 6=-3.66692e-006  A 8= 7.62408e-008  
第13面
K = 0.00000e+000  A 4=-4.19635e-004  A 6=-6.28905e-006  
第14面
K = 0.00000e+000  A 4=-3.01567e-004  A 6=-3.89167e-006  
第17面
K = 0.00000e+000  A 4= 7.84347e-005  A 6= 3.96686e-007  
第18面
K = 0.00000e+000  A 4= 1.78626e-004  A 6=-1.43883e-006  
各種データ
ズーム比      2.34 
広角     中間     望遠
焦点距離       9.71    15.07    22.72  
Fナンバー      2.06     2.61     3.43  
画角          36.17    27.66    19.17  
像高           7.10     7.90     7.90  
レンズ全長    51.12    48.36    51.15  
BF             8.80    14.16    20.76  
d 4           14.26     5.73     0.40  
d10            0.52     1.21     1.85  
d12            7.23     5.82     5.15  
d14            2.58     3.72     5.26  
d18            6.47    11.83    18.44  
ズームレンズ群データ
群  始面    焦点距離  
1    1     -13.38  
2    5      32.62  
3   11      21.44  
4   13      21.78  
5   15     -45.26  
【００８６】
（数値実施例６）
単位 mm
面データ
面番号       r        d      nd         vd
1*       -70.695    0.70   1.74424    51.3           
2*         9.453    2.00                             
3         13.795    1.88   2.00272    19.3           
4         18.990  (可変)                             
5*        13.539    2.57   1.88202    37.2           
6*       -56.616    0.21                             
7         14.549    2.39   1.72742    54.8           
8        -29.235    0.40   1.88679    25.5           
9          9.325    1.38                             
10(絞り)    ∞       7.60                             
11         24.672    0.00                             
12*        24.672    2.77   1.62444    62.0           
13*       -22.099  (可変)                             
14*       595.211    1.33   1.80596    41.8           
15*      -164.850  (可変)                             
16        -18.861    0.50   1.87023    35.6           
17        -35.208    0.06                             
18*       181.087    1.13   1.50019    77.8           
19*       506.709  (可変)                             
20          ∞       1.09   1.51633    64.1           
21          ∞       1.61                            
像面        ∞   
【００８７】
非球面データ
第1面
K = 0.00000e+000  A 4=-2.56826e-006  A 6= 4.52403e-007  A 8=-6.94450e-009  A10= 4.24592e-011  A12=-8.90389e-014  
第2面
K =-9.49267e-001  A 4= 7.23368e-005  A 6= 2.38496e-007  A 8= 1.32726e-008  A10=-3.26289e-010  A12= 2.10111e-012  
第5面
K = 0.00000e+000  A 4=-4.58849e-005  A 6= 3.36888e-008  A 8= 3.85402e-009  A10=-1.26411e-010  
第6面
K = 0.00000e+000  A 4= 2.00481e-005  A 6= 4.45178e-007  A 8=-8.09946e-009  
第12面
K = 0.00000e+000  A 4= 4.34166e-005  A 6=-1.63484e-007  A 8=-1.36909e-008  
第13面
K = 0.00000e+000  A 4=-7.25712e-005  A 6= 1.45597e-006  A 8=-3.10641e-008  
第14面
K = 0.00000e+000  A 4=-5.70564e-004  A 6= 2.96999e-006  
第15面
K = 0.00000e+000  A 4=-4.52868e-004  A 6= 3.40425e-006  
第18面
K = 0.00000e+000  A 4= 6.84799e-005  A 6= 1.83358e-006  
第19面
K = 0.00000e+000  A 4= 4.97564e-005  A 6= 1.63259e-006  
各種データ
ズーム比      2.45 
広角     中間     望遠
焦点距離      10.40    16.91    25.50  
Fナンバー      2.06     3.65     4.90  
画角          34.32    25.04    17.21  
像高           7.10     7.90     7.90  
レンズ全長    51.09    48.11    50.88  
BF             8.61    12.76    17.36  
d 4           14.96     5.59     0.40  
d13            1.00     2.54     4.57  
d15            1.24     1.93     3.26  
d19            6.28    10.43    15.03  
ズームレンズ群データ
群  始面    焦点距離  
1    1     -15.10  
2    5      16.02  
3   14     160.30  
4   16     -51.73  
5   20       ∞    
【００８８】
（数値実施例７）
単位 mm
面データ
面番号       r        d      nd         vd
1*       -70.695    0.70   1.81728    40.6           
2*        11.122    2.00                             
3         16.009    2.49   2.00272    19.3           
4         30.080  (可変)                             
5          ∞       0.45                             
6*        13.153    4.00   1.78857    36.3           
7*       -27.523    0.06                             
8         27.357    2.34   1.72916    54.7           
9        -15.902    0.40   2.00069    25.5           
10         14.373    1.01                             
11(絞り)    ∞     (可変)                             
12*        24.672    0.78   1.72686    28.0           
13*        14.499  (可変)                             
14*       595.211    3.02   1.75817    48.7           
15*       -12.434  (可変)                             
16*       181.087    0.35   1.49700    81.5           
17*        26.086  (可変)                             
18          ∞       1.09   1.51633    64.1           
19          ∞       1.61                           
像面        ∞   
【００８９】
非球面データ
第1面
K = 0.00000e+000  A 4= 2.31679e-005  A 6=-8.60768e-008  A 8=-6.11287e-010  A10= 7.26739e-012  A12=-1.86108e-014  
第2面
K =-2.03977e+000  A 4= 1.63079e-004  A 6=-2.43656e-007  A 8=-2.06832e-009  A10= 1.37412e-011  A12= 1.32651e-014  
第6面
K = 0.00000e+000  A 4= 2.03321e-005  A 6= 1.22702e-007  A 8= 3.94565e-009  A10=-1.54396e-011  
第7面
K = 0.00000e+000  A 4= 1.81321e-004  A 6=-1.14999e-006  A 8= 5.80880e-009  
第12面
K = 0.00000e+000  A 4= 4.46722e-004  A 6=-2.72861e-005  A 8=-7.71291e-008  
第13面
K = 0.00000e+000  A 4= 2.60533e-004  A 6=-3.37852e-005  A 8= 1.14267e-007  
第14面
K = 0.00000e+000  A 4=-5.66550e-004  A 6=-1.56123e-005  
第15面
K = 0.00000e+000  A 4=-3.26295e-004  A 6=-6.82533e-006  
第16面
K = 0.00000e+000  A 4= 2.79668e-005  
第17面
K = 0.00000e+000  A 4= 1.02528e-004  A 6=-5.39183e-007  
各種データ
ズーム比      2.48 
広角     中間     望遠
焦点距離      10.40    17.09    25.77  
Fナンバー      2.40     3.65     4.90  
画角          34.32    24.81    17.04  
像高           7.10     7.90     7.90  
レンズ全長    62.31    51.75    50.59  
BF            10.17    10.86    11.02  
d 4           23.43     8.36     0.66  
d11            4.53     4.66     5.02  
d13            2.30     1.37     1.00  
d15            3.91     8.54    14.92  
d17            7.84     8.54     8.69  
d19            1.61     1.61     1.61  
ズームレンズ群データ
群  始面    焦点距離  
1    1     -19.45  
2    5      21.26  
3   12     -50.00  
4   14      16.10  
5   16     -61.37  
【００９０】
（数値実施例８）
単位 mm
面データ
面番号       r        d      nd         vd
1*       -70.695    0.70   1.69350    53.2           
2*         8.297    2.88                             
3         13.853    1.94   2.00272    19.3           
4         21.599  (可変)                             
5*        12.843    2.74   1.88202    37.2           
6*       -33.033    0.34                             
7         34.361    2.35   1.69680    55.5           
8        -10.220    0.40   2.00069    25.5           
9         17.741    0.80                             
10(絞り)    ∞     (可変)                             
11*        24.672    2.65   1.49810    81.3           
12*       -17.332  (可変)                             
13*       595.211    1.73   1.97692    20.3           
14*       -41.728  (可変)                             
15*       181.087    0.45   1.76760    49.3           
16*        17.111  (可変)                             
17          ∞       0.59   1.51633    64.1           
18          ∞       2.24                            
像面        ∞   
【００９１】
非球面データ
第1面
K = 0.00000e+000  A 4=-8.10959e-005  A 6= 2.30177e-006  A 8=-3.25091e-008  A10= 2.30560e-010  A12=-6.37981e-013  
第2面
K =-1.25843e+000  A 4= 7.47237e-005  A 6= 1.06261e-006  A 8= 2.58087e-008  A10=-8.50803e-010  A12= 6.67086e-012  
第5面
K = 0.00000e+000  A 4= 9.78702e-006  A 6= 5.36605e-007  A 8= 9.59164e-009  A10= 1.10922e-010  
第6面
K = 0.00000e+000  A 4= 9.37875e-005  A 6= 2.92979e-007  A 8=-6.39343e-010  
第11面
K = 0.00000e+000  A 4= 2.60083e-004  A 6= 4.45601e-006  A 8= 1.00505e-007  
第12面
K = 0.00000e+000  A 4= 2.99993e-004  A 6= 6.56596e-006  A 8= 2.09334e-007  
第13面
K = 0.00000e+000  A 4=-6.07260e-005  A 6=-1.62743e-006  A 8= 1.74116e-007  A10=-9.00344e-010  
第14面
K = 0.00000e+000  A 4= 2.13534e-005  A 6=-3.54162e-006  A 8= 1.35551e-007  A10= 2.29982e-010  
第15面
K = 0.00000e+000  A 4=-6.57936e-004  A 6= 1.04570e-005  A 8=-1.25811e-007  
第16面
K = 0.00000e+000  A 4=-7.30303e-004  A 6= 1.36134e-005  A 8=-1.46653e-007  
各種データ
ズーム比      2.46 
広角     中間     望遠
焦点距離      10.40    16.93    25.53  
Fナンバー      2.06     3.65     4.90  
画角          34.33    25.01    17.19  
像高           7.10     7.90     7.90  
レンズ全長    46.07    42.80    45.26  
BF             6.90     9.77    15.61
d 4           11.94     4.02     0.40  
d10            5.31     3.90     2.97  
d12            0.95     5.45     8.11  
d14            3.79     2.49     1.00  
d16            4.27     7.14    12.98  
ズームレンズ群データ
群  始面    焦点距離  
1    1     -16.46  
2    5      20.14  
3   11      20.88  
4   13      39.97  
5   15     -24.65  
【００９２】
【表１】
2019095625.tif 000003
【表２】
2019095625.tif 000004
【符号の説明】
【００９３】
Ｂ１： 第１群
Ｂ２： 第２群
Ｂ３： 第３群
Ｂ４： 第４群
Ｂ５： 第５群
ＳＰ： 開口絞り
ＧＢ： ガラスブロック
ＩＰ： 像面
ｄ： ｄ線
ｇ： ｇ線
Ｆｎo： Ｆナンバ−
w： 半画角
DＳ： サジタル像面
DＭ： メリジオナル像面
【図１】
2019095625.tif 000005
【図２】
2019095625.tif 000006
【図３】
2019095625.tif 000007
【図４】
2019095625.tif 000008
【図５】
2019095625.tif 000009
【図６】
2019095625.tif 000010
【図７】
2019095625.tif 000011
【図８】
2019095625.tif 000012
【図９】
2019095625.tif 000013
【図１０】
2019095625.tif 000014
【図１１】
2019095625.tif 000015
【図１２】
2019095625.tif 000016
【図１３】
2019095625.tif 000017
【図１４】
2019095625.tif 000018
【図１５】
2019095625.tif 000019
【図１６】
2019095625.tif 000020
【図１７】
2019095625.tif 000021
【図１８】
2019095625.tif 000022
【図１９】
2019095625.tif 000023
【図２０】
2019095625.tif 000024
【図２１】
2019095625.tif 000025
【図２２】
2019095625.tif 000026
【図２３】
2019095625.tif 000027
【図２４】
2019095625.tif 000028
【図２５】
2019095625.tif 000029
【図２６】
2019095625.tif 000030
【図２７】
2019095625.tif 000031
【図２８】
2019095625.tif 000032
【図２９】
2019095625.tif 000033
【図３０】
2019095625.tif 000034
【図３１】
2019095625.tif 000035
【図３２】
2019095625.tif 000036
【図３３】
2019095625.tif 000037